(57)【特許請求の範囲】
【請求項１】
有底箱型のケースに共通端子と接触端子を配設し、該共通端子と前記接触端子の上方に可動接片を介してツマミを配置し、該ツマミを左右に動作させることにより前記可動接片を前記共通端子と前記接触端子に弾接させながら接離して回路を切り換えるスライドスイッチにおいて、前記ツマミの下面に収納部を設け、該収納部に下方を略円弧状に形成するとともに該可動接片の少なくとも上下方向にたわみを有する弾性線材で形成した前記可動接片を配設して前記共通端子と接触端子に弾接させ、さらに該可動接片を中央に貫通させた前記共通端子と前記接触端子を両側面から挟持するクリップを併設したことを特徴とするスライドスイッチ。
【発明の詳細な説明】
【０００１】
【発明の属する技術分野】
本発明は、スライドスイッチに係り、部品点数が少なく組立が容易で、特に接触信頼性の高い超小形のスライドスイッチに関する。
【０００２】
【従来の技術】
従来、この種のスライドスイッチとしては、図３に示されるように、有底の箱形のケースの中央に共通端子を、その左右に接触端子を配設し、この接触端子と共通端子上に上面を三角形に形成した可動接片を載置する。一方、ツマミには下方に開口する穴を設け、この穴にコイルバネとスチールボールを収納させる。なお、この図３には示されていないが、ツマミの前後側面に突起を設け、この突起をケースの側面に設けた横長孔に係合させて、ツマミを左右に操作自在に構成してある。そして、このツマミを左右に操作すると、スチールボールが可動接片の上面を押圧摺動し、操作方向と反対にこの可動接片が摺動して、電路の開閉を行うように構成されていた。
【０００３】
【発明が解決しようとする課題】
しかしながら、前記した従来のスイッチは、ツマミに組入れるコイルバネとスチールボールが極めて小さいため組立が難しく、組立不良率も高く、また、構造的に接触端子側の接触力をあまり大きく確保することができないことから、接触不良が発生することもあった。
本発明は上記問題点を除去し、部品点数が少なく、品質の安定した組立の極めて容易なスライドスイッチを提供することを目的とする。
【０００４】
【課題を解決するための手段】
本発明は、スライドスイッチのツマミの下面に収納部を設け、該収納部に下方を略円弧状に形成するとともに、少なくとも上下方向にたわみを有する弾性線材で形成した可動接片を配設して共通端子と接触端子に弾接させるように構成し、かつ、該可動接片を中央に貫通させたクリップを併設したものである。
【０００５】
【発明の実施の形態】
本発明によれば、下方を略円弧状に形成された弾性線材の可動接片は共通端子と接触端子に上方から押圧された状態でツマミをケースに左右自在に係合し、ツマミの下方で可動接片が左右に広がった状態で共通端子と接触端子とに圧接している。ツマミが切換えられる状態で可動接片はさらに弾性変形しながら略半円断面に形成された共通端子上面を乗り越えるため、切換節度感を得ることができる。さらに、併設したクリップにより接触信頼性を向上させることができる。また、部品点数が少なく、品質が安定して、組立が極めて容易なスライドスイッチを提供することができる。
【０００６】
【実施例】
以下、本実施例について図面を参照しながら詳細に説明する。
図１は本発明のスライドスイッチの分解斜視図、図２はその断面図である。これらの図において、有底箱型のケース６１の底面には一本の共通端子６３と２本一対の接触端子６４が一列にインサート成形されていて、各端子の上面は略半円断面に形成されている。そしてケース６１の上面には操作部６６を有するツマミ６５がケース６１の両側面に穿設された横長孔６２にツマミ６５の凸部６７を係合して左右自在に摺動出来るように載置され、さらに弾性線材にて下方を略円弧状に形成された可動接片７０がツマミ６５内に収納された状態で共通端子６３と接触端子６４の上方から弾接させてある。さらに、可動接片７０を中央に貫通させたクリップ７１が併設され、共通端子６３と接触端子６４を両側面から狭持している。ツマミの収納部はクリップ７１の上方部を保持する角穴６９と、更に可動接片７０の上方部を収納する横溝部６８の２段にて構成されている。
【００７】
このように構成されたスライドスイッチは、定常位置の状態で可動接片７０がツマミ６５の下方で左右に僅かに広がった状態で共通端子６３と接触端子６４とに弾接しているが、ツマミ６５が切換えられる状態では可動接片７０はさらに弾性変形しながら略半円断面に形成された共通端子６３の上面を乗り越えることで切換節度感を得ることができるので、コイルバネやスチールボールのような切換機構を構成する部品を必要とせず、組立て作業が極めて容易である。また、定常位置の状態でツマミ６５が僅かに動かされても可動接片７０が左右に揺動変形して吸収するので安定した接触を確保することができ、さらに、可動接片７０の接触と併せ、クリップ７１による摺動式２点クロスバー接触方式を採用することができるため、接触信頼性を著しく向上させることができるという優れた特徴を持っている。
【００８】
以上の本発明の実施例は、双投形であるが、単投形や多段操作タイプでも良い。また、可動接片を２個直列に並べることで、従来の図３のようにツマミの操作側と反対の回路を投入することも可能である。さらに、複数極の回路設定用のスライドスイッチへの応用が可能である等、本発明は前述の実施例に限定されるものではなく、本発明の趣旨に基づく種々の変形を本発明の範囲から排除するものではない。
【００９】
【発明の効果】
以上、詳細に説明したように、本発明によれば、以下のような効果を奏することができる。
（１）可動接片を弾性線材にて下方を略円弧状に形成してツマミ内に配設し、前記共通端子と前記接触端子に上方から弾接させ、しかも前記可動接片を保持するツマミの収納部内で前記可動接片がツマミ収納部下方で変形自在となるように構成したので、コイルバネやスチールボールのような切換機構を構成する部品を必要とせず、安価で組立が極めて容易なスライドスイッチを提供することができる。
（２）可動接片を弾性線材にて下方を略円弧状に形成してツマミ内に配設し、前記共通端子と前記接触端子に上方から弾接させ、しかも前記可動接片を保持するツマミの収納部内で、前記可動接片がツマミ収納部下方で変形自在となるように構成したので、定常位置の状態でツマミが僅かに動かされても可動接片が左右に揺動変形して吸収するため、極めて安定した接触を確保することができる。
（３）可動接片の上端部に折曲舌片を形成し、この折曲舌片の曲げ力が共通端子と接触端子の接触力に付勢するように構成したので可動接片の押下力を安定させることができるとともに、切換節度感のばらつきの無い軽動作のスライドスイッチを構成することができる。
（４）可動接片を弾性線材にて形成したので、可動接片の幅が小さくできるため、スイッチ本体の幅も小さくすることができ、省スペース化に貢献したスライドスイッチが提供できる。
（５）前記可動接片に加え、共通端子と接触端子を両側面から挟持するクリップを併設したので、共通端子と接触端子の上方の接触に加え、クリップによる摺動式２点クロスバー接触方式により、接触信頼性を著しく向上することができる。
【図面の簡単な説明】
【図１】  本発明のスライドスイッチの実施例を表す分解斜視図である。
【図２】  本発明のスライドスイッチの実施例を表す断面図である。
【図３】  従来のスライドスイッチを表す断面図である。
【符号の説明】
６１、８１  ケース
６２  横長孔
６３、８３  共通端子
６４、８４  接触端子
６５、８５  ツマミ
６６、８６  操作部
６７  凸部
８８  収納部
７０、９０  可動接片
６８  横溝部
６９  角穴
７１  クリップ
７２  スリット孔
９１  コイルバネ
９２  スチールボール
【図１】
0004017716.tif 000002
【図２】
0004017716.tif 000003
【図３】
0004017716.tif 000004